(57)【要約】【課題】装置内に拡散したインクミストを効率的に捕捉し、装置内のインクによる汚染を未然に防ぐことが可能なディスク記録再生装置及びディスク記録再生装置のインクミスト捕捉方法を提供すること。【解決手段】ディスク状媒体が着脱可能に載置され、ディスク状媒体を回転させる回転駆動部と、回転駆動部によって回転されたディスク状媒体の印刷面へインク滴を吐出する移動可能な印刷ヘッド１５０と、印刷ヘッドと連結して印刷ヘッドと一体的に移動可能であり、インク滴と共に印刷ヘッドから吐出されディスク状媒体近傍で拡散したインク滴より小容量のインクミストを捕捉する第１のミスト捕捉部１６０Ａとを有することを特徴とする。【選択図】図２
2009283041.tif 000002
【特許請求の範囲】
【請求項１】
ディスク状媒体が着脱可能に載置され、前記ディスク状媒体を回転させる回転駆動部と、
前記回転駆動部によって回転された前記ディスク状媒体の印刷面へインク滴を吐出する移動可能な印刷ヘッドと、
前記印刷ヘッドと連結して前記印刷ヘッドと一体的に移動可能であり、前記インク滴と共に前記印刷ヘッドから吐出され前記ディスク状媒体近傍で拡散した前記インク滴より小容量のインクミストを捕捉する第１のミスト捕捉部と
を有する、ディスク記録再生装置。
【請求項２】
前記印刷ヘッドは、前記ディスク状媒体の中心から前記ディスク状媒体の外周方向へ離隔した位置において、前記ディスク状媒体の直径方向と平行に移動可能である、請求項１に記載のディスク記録再生装置。
【請求項３】
前記第１のミスト捕捉部は、前記印刷ヘッドが前記ディスク状媒体の外周部にあるとき、前記印刷ヘッドよりも前記ディスク状媒体の回転方向の後流側となるように設けられた、請求項２に記載のディスク記録再生装置。
【請求項４】
前記第１のミスト捕捉部は、前記印刷ヘッドが前記ディスク状媒体の内周部にあるとき、前記印刷ヘッドよりも前記ディスク状媒体の回転方向の後流側となるように設けられた、請求項２又は３に記載のディスク記録再生装置。
【請求項５】
前記第１のミスト捕捉部は、前記印刷ヘッドよりも前記ディスク状媒体の回転方向の後流側に設けられた、請求項１に記載のディスク記録再生装置。
【請求項６】
前記ディスク状媒体の外周よりも外側に設けられ、前記印刷ヘッドよりも前記ディスク状媒体の回転方向の後流側に設けられた、前記インクミストを捕捉する第２のミスト捕捉部を更に有する、請求項１〜５のいずれかに記載のディスク記録再生装置。
【請求項７】
前記ディスク状媒体の前記印刷面から離隔して設けられ、前記印刷ヘッドよりも前記ディスク状媒体の回転方向の後流側に設けられた、前記インクミストを捕捉する第３のミスト捕捉部を更に有する、請求項１〜６のいずれかに記載のディスク記録再生装置。
【請求項８】
前記印刷ヘッドが前記ディスク状媒体の印刷面へインクを吐出する吐出位置に応じて、前記第１のミスト捕捉部、前記第２のミスト捕捉部又は前記第３のミスト捕捉部の駆動開始又は駆動停止を制御する制御部を更に有する、請求項１〜７のいずれかに記載のディスク記録再生装置。
【請求項９】
前記吐出位置は、前記ディスク状媒体の内周領域、外周領域又は前記内周領域と前記外周領域の中間の中間領域である、請求項８に記載のディスク記録再生装置。
【請求項１０】
前記第１のミスト捕捉部は、前記インクミストと共に空気を吸引する吸気ファン、又は電圧が印加され前記インクミストを誘引する電極板である、請求項１〜９のいずれかに記載のディスク記録再生装置。
【請求項１１】
回転したディスク状媒体の印刷面へインク滴を吐出するステップと、
前記インク滴を吐出する位置を移動するステップと、
前記インク滴と共に吐出され前記ディスク状媒体近傍で拡散した前記インクより小容量のインクミストを捕捉するステップと、
前記インク滴を吐出する位置と共に前記インクミストを捕捉する位置を移動するステップと
を含む、ディスク記録再生装置のインクミスト捕捉方法。
【発明の詳細な説明】
【技術分野】
【０００１】
本発明は、ディスク記録再生装置及びディスク記録再生装置のインクミスト捕捉方法に関する。
【背景技術】
【０００２】
ディスク状記録媒体を用いて情報を記録したり再生したりするディスク記録再生装置の代表的な例として、光ディスクを記録媒体として用いる光ディスク装置が一般的に知られている。光ディスク装置は、光ディスクにレーザ光を照射して、光ディスクにデータを書き込んだり、光ディスクに記録されたデータを読み出したりする装置である。光ディスク装置は、光ディスクの出入方法によってトレイ方式とスロットイン方式とに分けることができる。
【０００３】
トレイ方式の光ディスク装置は、装置筐体に対して出し入れ可能に構成されたトレイを有している。光ディスクはトレイに載置され、装置筐体内の記録再生動作が実行されるディスク装着位置と、装置筐体外のディスク取出位置とに搬送される。
【０００４】
これに対し、スロットイン方式の光ディスク装置は、装置筐体にディスク出入口が設けられ、ディスク出入口の内側に光ディスクを挟んで搬送するディスク搬送機構が設けられる。スロットイン方式の光ディスク装置では、ディスク出入口に光ディスクを挿入すると、ディスク搬送機構が光ディスクを挟んでディスク装着位置まで搬送する。また、イジェクトボタンを操作してディスク排出動作を選択すると、ディスク搬送機構が、光ディスクを保持してディスク装着位置からディスク取出位置まで搬送する。
【０００５】
光ディスク装置に対しては、記録容量の増大や高密度記録等の要望が強く、近年では、高密度記録を可能とした、例えばブルーレイディスク等が提供されるようになった。ブルーレイディスクを用いた光ディスク装置の基本的な構成は、従来の光ディスク装置（ＤＶＤ等）と同様である。ブルーレイディスクを用いた光ディスク装置は、光源を短波長化したり、レンズの開口数（ＮＡ：Numerical  Aperture）を大きくしたりすることにより、ＤＶＤ等に比べて記録容量が５倍から１０倍以上に増加している。
【０００６】
このような高密度に記録できる光ディスク装置では、１枚の光ディスクに記録される情報量が飛躍的に増大する。更に、記録された光ディスクの枚数が増えると、情報量が多くかつ複数の光ディスクを管理することが困難となる。
【０００７】
特許文献１では、光ディスクの管理方法として、光ディスクに記録されている情報の内容を、例えば、光ディスクの情報記録面に、光学ピックアップのレーザ光を用いて、情報記録部分の欄外に記録する方法が開示されている。
【０００８】
一方、光ディスクの情報記録面と反対側のレーベル面に、光ディスクに記録されている情報内容を書き込む方法として、インクジェット方式の印刷ヘッドを有する印刷装置を光ディスク装置に搭載し、この印刷装置によって情報内容を書き込むことも提案されている。
例えば、特許文献２では、光ディスク装置にインクジェットヘッドを搭載して、回転する光ディスクにレーベル印刷を行う光ディスク装置が開示されている。また、特許文献３では、印刷ヘッドがディスクのラジアル方向に移動可能な印刷装置を内蔵する光ディスク装置が開示されている。
【０００９】
【特許文献１】特開２００４−２８０９５３号公報
【特許文献２】特表２００２−５１２１４０号公報
【特許文献３】特許３３４１５７２号公報
【発明の開示】
【発明が解決しようとする課題】
【００１０】
しかし、光ディスクのレーベル面に文字等を印刷する印刷装置を搭載した光ディスク装置では、印刷の際に吐出されたインク滴のうちレーベル面に到達せず、光ディスク装置内に拡散したインクミストが光ディスク装置内部を汚染するという問題があった。
【００１１】
そして、インクミストが光学ピックアップ装置の対物レンズに付着すると、レーザ光が透過する対物レンズの透過率が低下するため、光ディスク装置における記録再生処理が実行できなくなるという問題があった。また、インクミストが、光ディスク装置内部の電気回路に付着すると、電気回路のショートや、光ディスク装置の動作不良、動作不安定等の不具合が発生するという問題があった。
【００１２】
さらに、光ディスクが載置されるトレイがインクミストによって汚染されると、トレイはユーザーが視認可能な部品であるため、ユーザーに対して、光ディスク装置の機能に障害が生じているという誤解を招く可能性があった。また、トレイがインクミストによって汚染されていると、糸くずや埃などが付着しやすくなる。そのため、トレイが光ディスク装置内に挿入されたとき、糸くずや埃などが同時に装置内に取り込まれて、光ディスク装置内部の部品に故障を生じさせるおそれがあった。
【００１３】
そこで、本発明は、上記問題に鑑みてなされたものであり、本発明の目的とするところは、装置内に拡散したインクミストを効率的に捕捉し、装置内のインクによる汚染を未然に防ぐことが可能な、新規かつ改良されたディスク記録再生装置及びディスク記録再生装置のインクミスト捕捉方法を提供することにある。
【課題を解決するための手段】
【００１４】
上記課題を解決するために、本発明のある観点によれば、ディスク状媒体が着脱可能に載置され、ディスク状媒体を回転させる回転駆動部と、回転駆動部によって回転されたディスク状媒体の印刷面へインク滴を吐出する移動可能な印刷ヘッドと、印刷ヘッドと連結して印刷ヘッドと一体的に移動可能であり、インク滴と共に印刷ヘッドから吐出されディスク状媒体近傍で拡散したインク滴より小容量のインクミストを捕捉する第１のミスト捕捉部とを有する、ディスク記録再生装置が提供される。
【００１５】
上記印刷ヘッドは、ディスク状媒体の中心からディスク状媒体の外周方向へ離隔した位置において、ディスク状媒体の直径方向と平行に移動可能であってもよい。
【００１６】
上記第１のミスト捕捉部は、印刷ヘッドがディスク状媒体の外周部にあるとき、印刷ヘッドよりもディスク状媒体の回転方向の後流側となるように設けられてもよい。
上記第１のミスト捕捉部は、印刷ヘッドがディスク状媒体の内周部にあるとき、印刷ヘッドよりもディスク状媒体の回転方向の後流側となるように設けられてもよい。
上記第１のミスト捕捉部は、印刷ヘッドよりもディスク状媒体の回転方向の後流側に設けられてもよい。
【００１７】
上記ディスク状媒体の外周よりも外側に設けられ、印刷ヘッドよりもディスク状媒体の回転方向の後流側に設けられた、インクミストを捕捉する第２のミスト捕捉部を更に有してもよい。
【００１８】
上記ディスク状媒体の印刷面から離隔して設けられ、印刷ヘッドよりもディスク状媒体の回転方向の後流側に設けられた、インクミストを捕捉する第３のミスト捕捉部を更に有してもよい。
【００１９】
上記印刷ヘッドがディスク状媒体の印刷面へインクを吐出する吐出位置に応じて、第１のミスト捕捉部、第２のミスト捕捉部又は第３のミスト捕捉部の駆動開始又は駆動停止を制御する制御部を更に有してもよい。
上記吐出位置は、ディスク状媒体の内周領域、外周領域又は内周領域と外周領域の中間の中間領域であってもよい。
【００２０】
上記第１のミスト捕捉部は、インクミストと共に空気を吸引する吸気ファン、又は電圧が印加されインクミストを誘引する電極板であってもよい。
【００２１】
また、上記課題を解決するために、本発明の別の観点によれば、回転したディスク状媒体の印刷面へインク滴を吐出するステップと、インク滴を吐出する位置を移動するステップと、インク滴と共に吐出されディスク状媒体近傍で拡散したインクより小容量のインクミストを捕捉するステップと、インク滴を吐出する位置と共にインクミストを捕捉する位置を移動するステップとを含む、ディスク記録再生装置のインクミスト捕捉方法が提供される。
【発明の効果】
【００２２】
本発明によれば、装置内に拡散したインクミストを効率的に捕捉し、装置内のインクによる汚染を未然に防ぐことができる。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
まず、本発明の第１の実施形態に係る光ディスク装置１００について説明する。図１は、本実施形態に係る光ディスク装置を示す斜視図である。図２は、本実施形態に係る光ディスク装置を示す平面図であり、筐体の上面板を取り外した状態を示す。図３は、本実施形態に係る光ディスク装置を示す斜視図であり、筐体の上面板を取り外した状態を示す。図４は、本実施形態に係る光ディスク装置を示す斜視図であり、筐体の上面板を取り外した状態を示す。
【００２５】
本発明の第１の実施形態に係る光ディスク装置１００は、印刷対象物であるディスク状記録媒体の一例である光ディスク５の情報記録面に対して、新たに情報信号を記録（書込み）したり、予め記録されている情報信号を再生（読出し）したりすることができる。ディスク状記録媒体は、例えば、ＣＤ（Compact  Disc）、ＣＤ−Ｒ（Recordable）、ＤＶＤ、ＤＶＤ−ＲＷ（Rewritable）、ブルーレイディスク（ＢＤ）等の光ディスク、或いは、光磁気ディスク、磁気ディスク等である。
【００２６】
また、本実施形態に係る光ディスク装置１００は、光ディスク５のレーベル面に、文字、記号、写真、絵、模様等の可視情報を印刷することができるトレイ方式の印刷機能付き記録再生装置である。
【００２７】
なお、本発明のディスク記録再生装置は、情報の記録と再生の両方が可能な光ディスク装置に限定されるものではなく、情報信号の記録のみが可能なディスク記録装置や、情報信号の再生のみが可能なディスク再生装置に適用できる。また、ディスク状記録媒体としては、レーザ光を用いて情報信号の記録や再生を行う光ディスクに限定されるものではなく、ニア・フィールド光を用いる光ディスク、光と磁気を用いる光磁気ディスク、磁気のみを用いる磁気ディスク等のように、外形がディスク状を形成している各種のディスク状記録媒体を記録メディアとして用いることができる。
【００２８】
次に、図１〜図３を参照して、本実施形態に係る光ディスク装置の構成について説明する。
【００２９】
図１〜図３に示すように、光ディスク装置１００は、中空の容器からなる筐体１０３と、この筐体１０３内に収納された装置本体と、図示しないリモートコントローラ等の入力装置等を備えて構成されている。この光ディスク装置１００には、図示しない画像表示装置や音声出力装置等の外部装置が電気的に接続可能とされており、光ディスク５の情報記録部から読み出した情報を画像や音声等で表示できるようになっている。画像表示装置としては、例えば、液晶ディスプレイ装置、有機ＥＬディスプレイ装置、プラズマディスプレイ装置等をあげることができる。また、音声出力装置としては、例えば、スピーカ装置等をあげることができる。
【００３０】
光ディスク装置１００の筐体１０３は、長方形をなすベース板１０４と、このベース板１０４の上面を覆う上面板１０５と、前面を覆う前面板１０６と、背面を覆う背面板１０７を備えており、全体として中空の容器が構成されている。筐体１０３のベース板１０４の幅方向の両側には、それぞれ側面部１０４ａ、１０４ａが設けられている。各側面部１０４ａは、ベース板１０４の長手方向に所定の高さで延在されている。上面板１０５は、長方形をなす上面部１０５ａと、この上面部１０５ａの幅方向の両側に連続して形成されていて側面を覆う左右の側面部１０５ｂ、１０５ｂを有している。この上面板１０５は、ベース板１０４の上部に装着され、両側面部１０５ｂ、１０５ｂを図示しない固定ネジで各側面部１０４ａ、１０４ａに固定することによって取り付けられている。この上面板１０５とベース板１０４とで構成される筒状の前側開口部が前面板１０６によって閉じられ、後側開口部が背面板１０７によって閉じられている。そして、前面板１０６と背面板１０７は、図示しない固定ネジによってベース板１０４と上面板１０５にネジ止めされている。
【００３１】
前面板１０６の高さ方向の略中央部には、横方向に延在されたディスク出入口１１１が設けられている。ディスク出入口１１１には、ディスクトレイ１１２が出し入れ可能に装着されている。ディスクトレイ１１２は、ディスク収納部１１３に載置された光ディスク５を、筐体１０３外のディスク取出位置と、光ディスク５に対して情報信号の記録（書込み）及び再生（読出し）が実行される筐体１０３内のディスク装着位置とに選択的に搬送するものである。このディスクトレイ１１２は、光ディスク５よりもやや大きな平面長方形をなす板状部材からなるトレイ本体１１４と、このトレイ本体１１４の長手方向の一端に固定された遮蔽板１１５とからなっている。トレイ本体１１４の一方の平面である上面に、光ディスク５を収納するための円形の凹部からなるディスク収納部１１３が設けられている。
【００３２】
また、トレイ本体１１４には、後述するディスク装着部との接触を避けるための切欠き部１６が設けられている。この切欠き部は、ディスクトレイ１１２の一方の短辺からディスク収納部１１３の中央部に至るまで大きく切り欠かれて形成されている。トレイ本体１１４の切欠き部と反対側の短辺に、遮蔽板１１５が一体的に設けられている。遮蔽板１１５は、ディスクトレイ１１２がディスク装着位置へ移動したときに、ディスク出入口１１１を閉じる蓋の機能を果たすものである。この遮蔽板１１５は、ディスク出入口１１１の形状に見合う横長の長方形とされており、ディスク出入口１１１に着脱可能に嵌合される。
【００３３】
光ディスク装置１００の装置本体は、ディスクドライブ装置と印刷装置と制御装置等を備えて構成されている。ディスクドライブ装置は、提供される光ディスク５の情報記録部に対して情報信号を書き込んで新たに情報を記録したり、情報記録部に予め記録されている情報を読み出して再生したりするものである。また、印刷装置は、提供される光ディスク５のレーベル面やそのレーベル面に貼り付けられているレーベルシート等に、情報記録部に予め記録されている情報や新たに記録された情報等に関連する事項を文字や数字、写真、絵や模様等の可視情報として印刷して表示するものである。そして、制御装置は、これらディスクドライブ装置及び印刷装置、並びに必要によってその他の装置を駆動制御して、ディスクドライブ装置に所定の記録再生動作及びその他の動作を実行させたり、印刷装置に所定の印刷動作及びその他の動作を実行させたりするものである。
【００３４】
本実施形態では、筐体１０３内の下方にディスクドライブ装置が配置され、筐体１０３内の上方に印刷装置が配置されている。この配置を実現するため、筐体１０３の内部には、その空間部を上下方向に仕切るシャーシプレート１２６（図３参照）が配置されている。シャーシプレート１２６は、ベース板１０４よりやや小さい長方形の板体からなり、その内部には所定の幅で長手方向に延在された長方形の開口穴１２８が表裏面を貫通するように設けられている。このシャーシプレート１２６の一方の面である上面に印刷装置が搭載され、他方の面である下面との間に所定の隙間をあけてディスクドライブ装置が配置されている。
【００３５】
ディスクドライブ装置は、この種の光ディスク装置において一般的に用いられているものと同様の構成であるため、ここでは構成等を簡単に説明する。ディスクドライブ装置は、光ディスク５が着脱可能に装着されるディスク装着部１２５（図２を参照）を有するディスク回転機構と、ディスク装着部１２５を昇降動作させて光ディスク５のチャッキング及びその解除動作を行う装着部昇降機構と、光ディスク５に対する情報信号の記録及び再生を行うピックアップ装置の一例である光学ピックアップと、その光学ピックアップを光ディスク５の半径方向へ移動させるピックアップ移動機構と、これらの機構等を駆動制御するドライブ制御回路等を備えて構成されている。
【００３６】
ディスク回転機構は、例えば、スピンドルモータと、このスピンドルモータの回転軸に固定されるターンテーブルとから構成されている。ターンテーブルが取り付けられたステッピングモータは、ディスクトレイ１１２がディスク装着位置に搬送されたときに、ディスク収納部１１３の略中央部に位置するように配置されている。ターンテーブルは、光ディスク５の中心穴に着脱可能に嵌合されるディスク嵌合部と、その中心穴の周囲を支持するディスク載置部とを有している。
【００３７】
装着部昇降機構は、ディスク装着位置においてディスク回転機構を昇降動作させることにより、ターンテーブルに光ディスク５を装着したり、その装着を解除したりするものである。この装着部昇降機構は、例えば、スピンドルモータが搭載されると共に筐体１０３のベース板１０４に揺動可能に支持されるモータベースと、このモータベースを揺動させるカム機構と、このカム機構を動作させてスピンドルモータを昇降させる電動モータ等によって構成される。スピンドルモータの上方には、チャッキングプレートが配置されている。このチャッキングプレートは、スピンドルモータの昇降動作によって持ち上げられた光ディスク５を、ターンテーブルに内蔵された磁石で吸着されて上から押えるものである。このチャッキングプレートとターンテーブルとで光ディスク５を挟持することにより、光ディスク５がターンテーブルから抜け出したり、ターンテーブル上で滑ったりすることを防止している。
【００３８】
チャッキングプレートは、側面部１２１の上端縁に固定されたプレート支持板１２４によって回転自在に支持されている。プレート支持板１２４は、長方形の板状部材からなり、その長手方向の一側にチャッキングプレートが回転自在に支持されている。プレート支持板１２４は、その長手方向の他側を側面部１２１の上端縁に固定することによって片持ち状に取り付けられている。プレート支持板１２４は、補助板によって支えられ、撓み難いように支持されている。このプレート支持板１２４によって支持されたチャッキングプレートの位置が、光ディスク５に対して光学ピックアップによる情報信号の記録（書込み）及び再生（読出し）が行われるディスク装着位置となっている。
【００３９】
このディスク装着位置と筐体１０３外のディスク取出位置との間にディスクトレイ１１２が、トレイ搬送機構によって搬送可能とされている。トレイ搬送機構は、この種の光ディスク装置において一般的に用いられているものと同様の構成であるため、ここでは構成等を簡単に説明する。トレイ搬送機構は、例えば、ディスクトレイ１１２に設けたラック部と、このラック部に噛合されるピニオンと、このピニオンを回転駆動する電動モータ等によって構成される。電動モータを駆動してピニオンを回転させることにより、その回転力がラック部に伝達される。これにより、電動モータの回転方向に応じてディスクトレイ１１２が、ディスク装着位置からディスク取出位置に搬送され、又は、ディスク取出位置からディスク装着位置に搬送される。
【００４０】
このトレイ搬送機構の動作時、ディスクドライブ装置の光学ピックアップ、特に、光ディスク５の情報記録部に臨むことになるピックアップレンズ及びその近傍部分は、ディスクトレイ１１２の切欠き部内に入り込む。そして、ディスクトレイ１１２のディスク収納部１１３に載置されている光ディスク５がターンテーブルに装着されて所定量を持ち上げられると、その光ディスク５の下側に光学ピックアップが入り込む。これにより、光学ピックアップによる光ディスク５の情報記録部に対する情報信号の書き込み及び読み出しが可能となる。なお、図２及び図４に示す符号１０２は、トレイ搬送機構を挿入又は排出動作させるためのイジェクトボタンである。
【００４１】
そして、ディスクトレイ１１２がディスク装着位置に搬送された際に、装着部昇降機構によってモータベースを上昇させることにより、スピンドルモータが上方に移動される。このとき、ターンテーブルのディスク嵌合部が光ディスク５の中心穴に嵌合され、光ディスク５がディスク収納部１１３から所定距離だけ持ち上げられる。そして、ターンテーブルに内蔵されている磁石によりチャッキングプレートが吸引され、そのチャッキングプレートとターンテーブルとで光ディスク５が挟持される。また、装着部昇降機構を逆方向へ動作させてモータベースを下降させることにより、ターンテーブルのディスク嵌合部が光ディスク５の中心穴から下方へ抜け出す。これにより、光ディスク５がターンテーブルから抜け出してディスク収納部１１３に載置される。
【００４２】
光学ピックアップは、例えば、光検出器と、対物レンズと、この対物レンズを光ディスク５の情報記録部に臨ませる２軸アクチュエータ等を有している。光学ピックアップの光検出器は、光ビームを出射する光源となる半導体レーザと、戻りの光ビームを受光する受光素子等から構成されている。この光学ピックアップは、半導体レーザから光ビームを出射し、その光ビームを対物レンズにより集光して光ディスク５の情報記録部に照射すると共に、その情報記録部で反射された戻りの光ビームを光検出器で受光する。これにより、光学ピックアップは、情報記録部に情報信号を記録（書込み）したり、予め情報記録部に記録されている情報信号を再生（読取り）したりすることができる。
【００４３】
この光学ピックアップはスライド部材に搭載されていて、そのスライド部材と一体に移動される。また、スライド部材には、図示しない２本のガイド軸が互いに平行とされて摺動可能に挿通されている。２本のガイド軸は、光ディスク５の情報記録部の前面をなす主面と略平行に配置され、ディスクトレイ１１２の移動方向に延在されている。この２本のガイド軸に摺動可能に保持されたスライド部材が、ピックアップ移動機構によって光ディスク５の半径方向へ移動可能とされている。
【００４４】
ピックアップ移動機構としては、例えば、送りネジと送りナットの組み合わせからなる送りネジ機構を適用することができる。しかしながら、ピックアップ移動機構は送りネジ機構に限定されるものではなく、例えば、ラックピニオン機構、ベルト送り機構、ワイヤ送り機構その他の機構を適用することもできる。このピックアップ移動機構によって移動されるスライド部材の移動時に、光ディスク５の情報記録部に対する光学ピックアップによる情報信号の記録及び再生作業が実行される。
【００４５】
光ディスク装置１００の印刷装置は、図２及び図３に示すように、インクタンクが収納された印刷ヘッド１５０と、この印刷ヘッド１５０を光ディスク５の印刷面に沿って移動させるヘッド移動機構と、印刷ヘッド１５０と印刷面との間の距離を検出する距離検出部（図示せず。）と、この距離検出部の検出素子等をクリーニングするクリーニング機構（図示せず。）と、これら印刷ヘッド１５０とヘッド移動機構と距離検出部とクリーニング機構等の動作を制御する印刷等制御回路（図示せず。）等を備えて構成されている。
【００４６】
印刷ヘッド１５０は、例えば、レーベル印刷に用いられるインクジェット方式の印刷ヘッド１５０で、インクタンク部とインク吐出部が一体に構成されている方式のものである。図５は、本実施形態に係る印刷ヘッド及び排気ファンを示す斜視図であり、印刷ヘッド及び排気ファンの上面から見た図である。図６は、本実施形態に係る印刷ヘッドを示す斜視図であり、印刷ヘッドの下面から見た図である。図７は、本実施形態に係る印刷ヘッド及び排気機構を示す断面図である。
【００４７】
図５〜図７に示す印刷ヘッド１５０は、１個の中空のヘッド筐体（図示せず。）を備えており、そのヘッド筐体の内部に、１色（例えば、ブラック）又は２以上の色（例えば、マゼンタ、シアン、イエローの３色等）の収納部を有するインクタンク１５１と、各色をノズルから個別に吐出させるインク吐出機構（図示せず。）が収納されている。ヘッド筐体は、直方体の一面の長手方向の略半分に、直方体の膨出部（図示せず。）を設けることによって構成されている。この膨出部の略中央部に、インクを吐出するためのインク吐出部１５４が設けられている。インク吐出部１５４には、多数の微細な直径の孔（直径が数μ〜数十μの数百個の孔）からなるノズルが設けられており、それらのノズルは、使用される色の数と同数の列として配列されている。例えば、マゼンタ、シアン、イエローの３色を用いる印刷ヘッドの場合には、３列のノズルが設けられている。
【００４８】
このような構成を有する印刷ヘッド１５０が、ヘッド移動機構によって光ディスク５の印刷面に沿って移動可能に構成されている。ヘッド移動機構は、印刷ヘッド１５０を保持するヘッドホルダ１５２と、このヘッドホルダ１５２を移動可能に支持するヘッドスライダ１５５と、このヘッドスライダ１５５を移動可能に支持する２本のヘッドガイド軸１４２、１４４と、この２本のヘッドガイド軸１４２、１４４を固定して支持するガイド軸受１４１、１４３と、印刷ヘッド１５０を移動させるラックギア１７３及びピニオンギア１７２と、ピニオンギア１７２を回転駆動するモータ１７１等を備えて構成されている。
【００４９】
ヘッドホルダ１５２は、印刷ヘッド１５０が嵌合される四角形の枠状をなす部材として構成されている。印刷ヘッド１５０の組立時、インク吐出部１５４はヘッドホルダ１５２を貫通して、その一面である下面から下方へ突出されている。ヘッドホルダ１５２には、ヘッド駆動回路１５３が設けられ、ヘッド駆動回路１５３に入力された信号に応じて、印刷ヘッド１５０は、インクを吐出する。
【００５０】
印刷ヘッド１５０には、ファン１６０Ａが連結して設けられる。ファン１６０Ａは、例えば軸流ファンであり、後述するダクト１６６を介してインク吐出部１５４近傍で浮遊しているインクミストをディスクドライブ装置が設置された空間から外部へ排出する。ファン１６０Ａは、回転羽根１６１を有して、下部側から上部側に向けて空気を排出する。ファン１６０Ａは、常に印刷ヘッド１５０近傍に位置するため、効果的にインクミストを除去することかできる。ファン１６０Ａには、例えば不織布やスポンジなどの吸水性のある海綿状のクリーナ（図示せず。）が設けられ、クリーナは排出されたインクを吸収する。なお、ファン１６０Ａは、第１のミスト捕捉部の一例である。
【００５１】
ダクト１６６は、図７に示すように、ファン１６０Ａの下部に設けられ、吸気口１６２と接続される。ダクト１６６は、例えば、下面板１６３、１６５、側面板１６４に囲まれて形成される。吸気口１６２は、印刷ヘッド１５０のインク吐出部１５４の周囲に設けられる。吸気口１６２は、第１の吸気口１６２Ａと第２の吸気口１６２Ｂから形成され、印刷ヘッド１５０の下面から見たときＬ字状に形成される。
【００５２】
なお、光ディスク５の印刷面は、その光ディスク５の一面をなすレーベル面である。また、光ディスク５のレーベル面にレーベルシートが貼り付けられている場合には、その貼付されているレーベルシートの表面が印刷面となる。印刷ヘッド１５０が組み合わされたヘッドホルダ１５２は、ヘッドスライダ１５５によって相対的に移動可能に支持されている。
【００５３】
光ディスク５は、シャーシプレート１２６の反対側に配置されたディスクドライブ装置のディスク回転機構のターンテーブル（図示せず。）に装着されており、そのターンテーブルに対して光学ピックアップが、光ディスク５の主面である面方向と垂直をなす方向へ接近及び離反可能とされている。
【００５４】
ヘッドスライダ１５５は、突出するガイド軸受１４１が設けられ、他方側には、突出するガイド軸受１４３が設けられている。
【００５５】
ガイド軸受１４１には、それぞれ第１の軸受穴１４１Ａが設けられている。同様に、ガイド軸受１４３には、第２の軸受穴１４３Ａが設けられている。そして、第１の軸受穴及び第２の軸受穴には、それぞれ軸受部材が装着されて圧入等の固定手段により固定されている。これらの軸受部材には、２本のヘッドガイド軸１４２、１４４が摺動自在に挿通されている。
【００５６】
印刷ヘッド１５０は、２本のヘッドガイド軸１４２、１４４によって移動可能に支持されている。図５に示すように、第１のヘッドガイド軸１４２は、ヘッドスライダ１５５の一側に設けたガイド軸受１４１の軸受穴１４１Ａの軸受部材に摺動自在に挿通されている。そして、第２のヘッドガイド軸１４４が、ヘッドスライダ１５５の他側に設けたガイド軸受１４３の２つの軸受穴１４３Ａの各軸受部材に摺動自在に挿通されている。
【００５７】
２本のヘッドガイド軸１４２、１４４は、シャーシプレート１２６に設けた開口穴１２８の長手方向に延在されていると共に、所定の間隔を保持して互いに平行に配置されている。そして、２本のヘッドガイド軸１４２、１４４は、端部１４２Ａ、１４４Ａで仕切板１２７により固定され、端部１４２Ｂ、１４４Ｂでガイド軸受１４０により固定される。これにより、２本のヘッドガイド軸１４２、１４４は、両端支持されている。ガイド軸受１４０、仕切板１２７は、シャーシプレート１２６の開口穴１２８の長手方向の両端部に配置されており、固定ネジによってシャーシプレート１２６にそれぞれ固定されている。
【００５８】
一方のヘッドガイド軸１４４の外側には、ラックギア１７３が所定の間隔をあけて配置されている。ラックギア１７３は、２本のヘッドガイド軸１４２、１４４と平行に設定されている。ラックギア１７３は、モータ１７１の回転軸と連結したピニオンギア１７２と噛合されている。モータ１７１はヘッドスライダ１５５に固定されている。なお、図１〜図３では、ピニオンギア１７２とラックギア１７３の歯車部分については省略して記載している。
【００５９】
このような構成によって、モータ１７１を駆動すると、その回転軸の回転力がピニオンギア１７２に伝達される。このとき、ピニオンギア１７２は、ラックギア１７３と噛合しており、ヘッドスライダ１５５と固定されたモータ１７１を介して、ヘッドスライダ１５５は２本のヘッドガイド軸１４２、１４４にガイドされてその軸方向へ移動可能とされている。そのため、ピニオンギア１７２は、モータ１７１の回転方向に応じて、光ディスク装置１００前方向か又は光ディスク装置１００の後方向へ選択的に移動する。これにより、ヘッドスライダ１５５がモータ１７１及びピニオンギア１７２と一体的に移動し、その結果、印刷ヘッド１５０が、ラックギア１７３の延設方向と同方向となっている前後方向に移動される。
【００６０】
印刷ヘッド１５０の前後方向への移動は、２つの位置検出センサ１７４、１７５によって検出可能とされている。第１の位置検出センサ１７５は、印刷ヘッド１５０のインク吐出部１５４が光ディスク５の半径方向内側へ移動し、中心部に最も近い部分を所定距離だけ通過したディスク内側停止位置を検出するものである。また、第２の位置検出センサ１７４は、印刷ヘッド１５０のインク吐出部１５４が光ディスク５の半径方向外側へ移動し、中心部から最も遠く離れたディスク外側停止位置を検出するものである。
【００６１】
これらの位置を検出するため、位置検出片１７６、１７７がヘッドスライダ１５５に取り付けられている。この位置検出片１７７を第１の位置検出センサ１７５で検出することによってディスク内側停止位置が検出され、その位置に印刷ヘッド１５０が停止される。同様に、位置検出片１７６を第２の位置検出センサ１７４で検出することによってディスク外側停止位置が検出され、その位置に印刷ヘッド１５０が停止される。
【００６２】
光ディスク装置１００では、印刷装置の印刷ヘッド１５０の略中心にあるインク吐出部１５４を通るヘッド中心線Ｌｂは、ディスクドライブ装置の中心部となっているディスク装着部（ターンテーブル）１２５の回転中心Ｏを通る本体中心線Ｌａから距離Ｅだけ偏心した位置に設定されている。そのため、印刷ヘッド１５０は光ディスク５の印刷面に対して、回転中心Ｏから距離Ｅだけ偏心したヘッド中心線Ｌｂの軌跡上を移動して印刷作業を実行する。
【００６３】
また、ヘッド中心線Ｌｂ上において、筐体１０３の奥側には、印刷ヘッド１５０のインク吐出部１５４に装着されるヘッドキャップ１８１と、インク溜め１８２が配置されている。ヘッドキャップ１８１は、インク吐出部１５４のノズルの乾燥を防ぎ、インクが乾いてノズルに詰まるのを防止するものである。ヘッドキャップ１８１は、支持部材１８３を介してシャーシプレート１２６に支持されている。また、インク溜め１８２は、インク吐出部１５４のノズルに空気が入らないように空うちして、インクが出ないといった印刷エラーを防止するものである。
【００６４】
印刷ヘッド１５０のヘッド移動機構としてラックピニオン方式を適用することにより、次のような有利な効果がある。ラックピニオン方式は、ヘッド移動機構を簡潔に構成することができる。また、従来のヘッド移動機構に比べて、モータ回転当たりの移動距離が長くなるため、振動を少なくすることができる。さらに、ラックピニオン方式は、ボールネジを使用した従来のヘッド移動機構に比べて、全体の部品をきわめて安価に構成することができる。また、ベルトを使用した従来のヘッド移動機構は、ベルトを掛けるためのプーリやモータをヘッドの移動範囲の外側に設ける必要があり、全体的に装置が大きくなる径が、ラックピニオン方式は、コンパクトな大きさとすることができる。また、ベルトを使用した従来のヘッド移動機構は、送り精度が悪いが、ラックピニオン方式は、より精度の高い送り精度とすることができるため、印刷の品位を向上させることができる。
【００６５】
本実施形態の光ディスク装置１００には、印刷ヘッド１５０と一体的に設けられたファン１６０Ａに加えて、更に、ファン１６０Ｂ、ファン１６０Ｃ、ファン１６０Ｄが設けられている。ファン１６０Ｂ、ファン１６０Ｄは、第２のミスト捕捉部の一例であり、ファン１６０Ｃは、第３のミスト捕捉部の一例である。
【００６６】
ファン１６０Ｂは、光ディスク装置１００の側面に設けられる。ファン１６０Ｂは、印刷ヘッド１５０から吐出され、光ディスク５の回転によって側面側に移動したインクミストを効率的に捕捉することができる。これにより、インクミストが光ディスクの情報記録面側に移動することを防止することができる。なお、ディスクトレイ１１２の側面には、ユーザーが光ディスク５を取り出しやすいように、他の側面に比べて高さが低く構成されている部分（切欠き部）が設けられている場合がある。この場合、ファン１６０Ｂを当該切欠き部周辺に設置するとよい。
【００６７】
ファン１６０Ｃは、光ディスク装置１００の上面、レーベル面より上側に設けられる。ファン１６０Ｃは、ファン１６０Ａやファン１６０Ｂよりも光ディスク５の回転方向の後流側に設けられる。これにより、ファン１６０Ｃは、ファン１６０Ａやファン１６０Ｂで捕捉できなかったインクミストを効率的に捕捉できる。
【００６８】
ファン１６０Ｄは、仕切板１２３に設けられる。ファン１６０Ｄは、ファン１６０Ｃよりも光ディスク５の回転方向の後流側に設けられる。これにより、ファン１６０Ｃは、ファン１６０Ａ、ファン１６０Ｂやファン１６０Ｃで捕捉できなかったインクミストを効率的に捕捉できる。
【００６９】
ファン１６０Ｂ、ファン１６０Ｃ、ファン１６０Ｄには、ファン１６０Ａと同様に、例えば不織布やスポンジなどの吸水性のある海綿状のクリーナ（図示せず。）が設けられ、クリーナは排出されたインクを吸収する。
【００７０】
次に、図８を参照して、本実施形態に係る光ディスク装置１００の構成について説明する。図８は、本実施形態に係るレーベル印刷機能を有する光ディスク装置の構成を示すブロック図である。
【００７１】
図８に示すように、光ディスク装置１００は、光ディスク５に情報の記録または光ディスク５に記録された情報の再生を行う記録再生ユニット５００Ａと、光ディスク５にレーベル印刷を行う印刷ユニット５００Ｂと、を主に備える。
【００７２】
記録再生ユニット５００Ａは、例えば、記録再生制御部５１０と、スピンドルモータコントローラ５１２と、映像音声処理部５１４と、Ｄ／Ａ変換部５１６と、インターフェース５１８と、マトリクスアンプ／同期検出部／ＥＣＣ部５２０と、スレッド制御部５２２と、サーボ制御部５２４と、レーザ制御部５２６と、バッファメモリ５２８と、スピンドルモータ５３６と、光学ピックアップ５４０と、ピックアップ移動機構５４４と、スレッドモータ５４６などを有する。
【００７３】
記録再生制御部５１０は、各種の信号を入出力して後述するスピンドルモータコントローラ５１２、マトリクスアンプ／同期検出部／ＥＣＣ部５２０、スレッド制御部５２２、サーボ制御部５２４、レーザ制御部５２６等の各制御部の全体を統括的に制御する。
【００７４】
スピンドルモータ５３６は、回転駆動部の一例であり、光ディスク５を回転させる回転駆動機構として機能する。このスピンドルモータ５３６は、例えば、記録再生制御部５１０からの信号が入力されたスピンドルモータコントローラ５１２により、回転数が適切なものに制御される。
【００７５】
光学ピックアップ５４０は、レーザ光源、このレーザ光源から出射されたレーザ光をディスクに集光させる対物レンズ、ディスクからの反射戻り光を検出するフォト・ディテクタ（ＰＤ）等を有する（いずれも図示せず。）。レーザ光源としては、例えば半導体レーザ、特にレーザダイオード（ＬＤ）が用いられるが、これに限られない。光学ピックアップ５４０は、その他、レーザ光源から出射されたレーザ光を対物レンズに導くための光学系（図示せず）等を有する。
【００７６】
マトリクスアンプ／同期検出部／ＥＣＣ部５２０中のマトリクスアンプは、光学ピックアップ５４０のＰＤから出力される各種の信号に基づいてフォーカスエラー信号、トラッキングエラー信号、ＲＦ信号等を演算生成する。同様に、光学ピックアップ５４０に搭載されるアクチュエータ（図示せず。）は、対物レンズが搭載され、該対物レンズをトラッキング方向、フォーカシング方向及びチルト方向に移動させる。また、同期検出部（および図示しないＡ／Ｄ変換器）は、さらに光ディスク５に所定間隔で記録された同期信号に基づいてクロックを生成し、アナログ信号をデジタル信号に変換する。さらに、ＥＣＣ部（および信号変復調器）は、信号の変調、復調及びＥＣＣの付加、ＥＣＣ（Ｅｒｒｏｒ  Ｃｏｒｒｅｃｔｉｎｇ  Ｃｏｄｅ：エラー訂正信号）に基づくエラー訂正処理を行う。
【００７７】
スレッド制御部５２２は、光学ピックアップ５４０の光ディスク５の半径方向の移動をコントロールする信号を出力し、記録再生の位置を制御する（スレッドサーボ）。より具体的には、スレッド制御部５２２から出力された信号がスレッドモータ５４６に入力され、入力された信号に基づき、スレッドモータ５４６がピックアップ移動機構５４４を駆動させ、このピックアップ移動機構５４４により、光学ピックアップ５４０が記録再生位置まで移動する。
【００７８】
サーボ制御部５２４は、上述した光学ピックアップ５４０に搭載されるアクチュエータに、フォーカスエラー信号、トラッキングエラー信号及びＲＦ信号に基づいて各種のサーボ信号を出力し、対物レンズの適切な姿勢制御を行う。なお、サーボ制御部５２４が、上述したスレッドサーボに関するコントロール信号及びスピンドルモータ５３６の回転数のコントロール信号等を出力しても良い。
【００７９】
レーザ制御部５２６は、マトリクスアンプ／同期検出部／ＥＣＣ部５２０中のマトリクスアンプ、ＥＣＣ部（および図示しない信号変復調器）からの変調信号を受けて、光ディスク５に信号を書き込むためにレーザ光源のレーザパワーを変調し、また、ＲＦ信号に基づきレーザパワーを制御する。
【００８０】
バッファメモリ５２８は、信号変復調器およびＥＣＣ部で処理されるときのデータを一時的に記憶する。映像音声処理部５１４は、必要な映像処理や音声処理を行い、Ｄ／Ａ変換部５１６を介して映像及び音声をアナログ出力（例えば、ビデオ／オーディオ出力）する。インターフェース５１８は、図示しない外部コンピュータや映像音声源等を接続するためのインターフェースである。
【００８１】
印刷ユニット５００Ｂは、例えば、印刷ヘッド５５０と、ヘッド駆動モータ５６０と、印刷ヘッド移動機構５６２と、ヘッド駆動回路５６４と、印刷コントローラ５７０と、メモリ５８０とを有する。
【００８２】
印刷ヘッド５５０は、上述した印刷ヘッド１５０に相当し、ヘッド駆動モータ５６０は、上述したモータ１７１に相当する。印刷ヘッド移動機構５６２は、ヘッド駆動モータ５６０により駆動される上述したピニオンギア１７２及びラックギア１７３である。印刷ヘッド移動機構５６２は、印刷ヘッド５５０を、光ディスク５の中心軸からオフセットした位置で、そのラジアル方向と平行な方向に移動させる。ヘッド駆動回路５６４は、通常、印刷ヘッド５５０と一体となっており、印刷ヘッド５５０からのインクの吐出を制御する。
【００８３】
印刷コントローラ５７０は、記録再生制御部５１０からの信号が入力されたり、記録再生制御部５１０へ信号を出力したりする。また、印刷コントローラ５７０は、印刷ヘッド移動機構５６２、およびこれを駆動するヘッド駆動モータ５６０を制御する。
【００８４】
メモリ５８０は、印刷内容の情報である印刷情報のデータ（以下、印刷データという。）を記憶する。このメモリ５８０は、例えば、パーソナルコンピュータ、メモリカード、その他の外部機器等からの印刷データを一時的に蓄積する。
【００８５】
以下、かかる構成を有する光ディスク装置１００の動作について説明する。データ記録時においては、図示しない外部コンピュータからインターフェースに入力されたデジタルデータは、信号変復調器およびＥＣＣ部でエラー訂正符号（ＥＣＣ）が付加されて変調される。変調されたデジタルデータに基づき、レーザ制御部５２６によりパルスが生成され、光学ピックアップ５４０を介して光ディスク５にレーザ光が照射されることで、デジタルデータが記録される。データ記録の際、サーボ制御部５２４、スピンドルモータコントローラ５１２、スレッド制御部５２２などにより、適宜サーボ制御がなされ、レーザ制御が行われる。
【００８６】
一方、データ再生時においては、レーザ光が光ディスク５に照射されると、その戻り反射光が光学ピックアップ５４０のＰＤにより検出される。ＰＤにより検出された反射光は、マトリクスアンプにおいて増幅、波形等化等が計算されて、ＲＦ信号が再生され、同期検出部およびＡ／Ｄ変換器により、ＲＦ信号が２値化されたビット列が生成される。生成されたビット列は、信号変復調器およびＥＣＣ部により信号復調及びエラー訂正が行われる。復調された信号から、映像音声処理部５１４により映像データ及び音声データに分離され、Ｄ／Ａ変換部５１６によりＤ／Ａ変換がなされてアナログ出力される。データ再生の際も、サーボ制御部５２４、スピンドルモータコントローラ５１２、スレッド制御部５２２などにより、適宜サーボ制御がなされ、レーザ制御も行われる。
【００８７】
レーベル印刷は、通常、データ再生と同じように光ディスク５の盤面からの信号に基づきスピンドルモータ５３６を制御すると共に、印刷制御が行われるが、一定の回転数で光ディスク５を回転させながら、レーベル印刷を行っている。また、これに限らず、データを記録しながらレーベル印刷を行っても良いし、光ディスク５の回転数を変化させながら印刷を行ってもよい。この場合に、印刷コントローラ５７０は、例えば、印刷ヘッド５５０の１回の移動距離が、印刷ヘッド５５０の最大印字幅、本実施形態においては、インク吐出部の幅の１／ｎ（ｎは自然数）となるように、印刷ヘッド移動手段を制御することができる。
【００８８】
ファンコントローラ５９０は、制御部の一例であり、ファンモータ５９２の駆動開始又は駆動停止を制御する。ファンコントローラ５９０は、例えば記録再生制御部５１０から印刷ヘッド５５０の駆動状態に応じた制御信号を受けて、ファンモータ５９２を駆動制御する。ファンモータ５９２は、例えば上述したファン１６０Ａ、ファン１６０Ｂ、ファン１６０Ｃ、ファン１６０Ｄを駆動するモータである。ファンモータ５９２は、ファンコントローラ５９０から駆動信号を受けて駆動を開始したり停止したりする。
【００８９】
ファンコントローラ５９０は、例えば、印刷ヘッド５５０が印刷を実行している光ディスク５のレーベル面の領域（内周領域、外周領域、内周と外周の間の中間領域など）に応じて、ファンモータ５９２の駆動開始、又は駆動停止を制御する。これにより、光ディスク装置１００内で浮遊したインクミストを効率的に捕捉することができる。また、ファンが複数設けられている場合、不要なファンを停止することで、振動や消費電力を低下させることができ、連続稼動によるファンの故障発生を防止することができる。
【００９０】
次に、本実施形態に係る光ディスク装置１００内部におけるインクミストの流れについて説明する。
【００９１】
図９は、ディスク状記録媒体が回転駆動する際に発生する空気の流れを示す説明図である。図１０は、本実施形態に係る印刷ヘッドからインク滴が吐出した状態を示す説明図である。
【００９２】
一般に、印刷装置の印刷ヘッド１５０から吐出されるインク滴の全てが印刷面に着弾されるものではなく、着弾しなかったインク滴はミストとなって装置内に浮遊し、内部の機構や機器等を汚染する。
【００９３】
印刷ヘッド１５０と被印刷媒体（光ディスク５のレーベル面）との相対的な移動によって、インクヘッド方式による画像の印刷が行われる。図１０に示すように、適切な大きさ、例えば、直径１０μｍを有するインク滴Ｌは、光ディスク５のレーベル面に到達して、文字、記号、写真、絵、模様等の可視情報を形成する。一方、インク滴Ｌと共に吐出されたインク滴Ｌよりも小容量のミストＭ（例えば、直径５μｍ）は、印刷ヘッド１５０と被印刷媒体との相対的な移動があることで、光ディスク５のレーベル面に着弾せず、光ディスク装置１００内を浮遊する。また、更に、小容量のミストＮ（例えば、直径１μｍ）は、インク吐出部１５４から吐出された後、インク吐出部１５４近傍に付着する。
【００９４】
本実施形態では、光ディスク５がディスク回転機構のスピンドルモータにより回転駆動されながら印刷が行う、いわゆる、Ｒθ印刷方式を用いている。図９に示す矢印のように、光ディスク５がディスク装着部によって一定速度で回転すると、光ディスク５の周囲には、光ディスク５の回転に沿って、光ディスク５の中心から半径方向外側に向かう定常的な空気の流れが発生する。
【００９５】
そのため、図１０に示すように、光ディスク５の回転駆動した際に発生する空気流の中で印刷ヘッド１５０のインク吐出部１５４からインク滴Ｌを吐出すると、十分な吐出速度を受けたインク滴Ｌは、吐出後のインク滴Ｌが飛翔する速度と飛翔に対する空気抵抗とで生じる垂直方向の慣性力Ｇと、光ディスク５の回転する空気の流れにより受ける水平方向の力Ｒを受ける。そして、インク滴Ｌには、この慣性力Ｇと水平方向の力Ｒを合成した合成力Ｓが作用する。ここで、インク滴Ｌは、慣性力Ｇが水平方向の力Ｒよりも十分に大きいため、インク吐出部１５４の真下から若干空気の流れの方向に移動して光ディスク５のレーベル面に付着する。
【００９６】
一方、吐出速度が遅いインク滴や空気抵抗を多く受けるようなインク滴（以下、ミストＭと言う）も同様に、吐出後のミストＭが飛翔する速度と飛翔に対する空気抵抗とで生じる垂直方向の慣性力Ｇｓと、空気の流れにより受ける水平方向の力Ｒｓを受ける。そして、ミストＭには、この慣性力Ｇｓと水平方向の力Ｒｓを合成した合成力Ｓｓが作用する。ここで、ミストＭにかかる慣性力Ｇｓは、吐出時の飛翔速度が遅いこと、ミストＭの大きさが小さいために飛翔に対する空気抵抗がその質量に比して大きいことなどから、十分な吐出速度を受けたインク滴Ｌにかかる慣性力Ｇよりも小さくなる。
【００９７】
その結果、ミストＭは、光ディスク５のレーベル面に付着せずに、空気に流されて筐体１０３内を浮遊する。そのため、この浮遊するミストＭが、光学ピックアップのピックアップレンズ等に付着して情報の読み書きを行うレンズを汚し、読み書きの不良を生じ易くしたり、電気回路等に付着して、動作不良を生じさせたりするおそれがあった。
【００９８】
次に、図１１を参照して、本実施形態に係るファン１６０Ａによるインクミストの流れについて説明する。図１１は、本実施形態に係る光ディスク装置において、光ディスクの外周側を印刷する際のインクミストの流れの様子を示す平面図である。
【００９９】
吸気口１６２は、上述したとおり、第１の吸気口１６２Ａと第２の吸気口１６２ＢからなるＬ字形状を有する。第１の吸気口１６２Ａは、インク吐出部１５４が光ディスク５の外周領域にあるとき、第１の吸気口１６２Ａは、インク吐出部１５４よりも光ディスク５の回転方向の後流側に位置するように設けられている。従って、インク吐出部１５４が光ディスク５の外周側に位置して印刷を実行するとき、インクミストは光ディスク５の外周領域に沿って流れるため、第１の吸気口１６２Ａがインクミストを効率的に捕捉する。
【０１００】
また、第２の吸気口１６２Ｂは、インク吐出部１５４が光ディスク５の内周領域にあるとき、第２の吸気口１６２Ｂは、インク吐出部１５４よりも光ディスク５の回転方向の後流側に位置するように設けられている。従って、インク吐出部１５４が光ディスク５の内周側に位置して印刷を実行するとき、インクミストは光ディスク５の内周領域に沿って流れるため、第２の吸気口１６２Ｂがインクミストを効率的に捕捉する。
【０１０１】
図１１は、シミュレーション結果を模式的に示したものであるが、インク吐出部１５４が光ディスク５の外周領域にあるとき、第１の吸気口１６２Ａ側にインクミストが流れており、結果的に、第２の吸気口１６２Ｂがインクミストを捕捉していることが分かる。
【０１０２】
次に、図１２を参照して、複数のファンの動作又は停止の組み合わせ例について説明する。図１２は、本実施形態に係る複数のファンの動作又は停止の組み合わせを示す説明図である。
【０１０３】
図１２において、ヘッドと示したファンはファン１６０Ａであり、サイドと示したファンはファン１６０Ｂであり、トップと示したファンはファン１６０Ｃであり、バックと示したファンはファン１６０Ｄである。
【０１０４】
ａからｇまでの組み合わせ例は、光ディスク５の内外周印刷時に常にファンを動作させるケースである。
【０１０５】
ａは、ヘッドファンのみ設置する例である。ｂは、ヘッドファンとサイドファンの２つを設置し、両者を常に駆動させる例である。ｃは、ヘッドファンとトップファンの２つを設置し、両者を常に駆動させる例である。ｄは、ヘッドファンとバックファンの２つを設置し、両者を常に駆動させる例である。ｅは、ヘッドファン、サイドファン、トップファンの３つを設置し、３台のファンを常に駆動させる例である。ｆは、ｅと同様に３台設置するが、サイドファンの代わりに、バックファンを設置する例である。ｇは、ヘッドファン、サイドファン、トップファン、バックファンの４つを設置し、４台のファンを常に駆動させる例である。
【０１０６】
一方、ｈからｎまでの組み合わせ例は、光ディスク５の印刷領域を外周、内周の２つの領域、又は、外周、内周、外周と内周の間の中央領域の３つの領域に分割して、それぞれでファンの動作を切り替えるケースである。
【０１０７】
ｈは、サイドファンとトップファンの２つを設置し、外周領域印刷時には、サイドファンを動作させ、内周領域印刷時には、トップファンを動作させる例である。ｉは、ｈの例にヘッドファンを更に設け、外周領域印刷時には、トップファンを停止させ、内周領域印刷時には、サイドファンを停止させる例である。ｊは、ｈの例にヘッドファンではなく、バックファンを更に設け、外周領域印刷時には、トップファンを停止させ、内周領域印刷時には、サイドファンを停止させる例である。
【０１０８】
ｋは、ｊの例と同じく、サイドファン、トップファン、バックファンの３つを設け、外周領域印刷時には、３台全てを駆動させ、内周領域印刷時（及び中央領域印刷時）には、サイドファンを停止させる例である。上記ｈ、ｊ、ｋはヘッドファンを設置しない例であるが、印刷ヘッド１５０にファンを設けなくてよいため、構成が簡単となる。
【０１０９】
ｌ、ｍ、ｎのケースは、４つのファンを設置する例である。ｌは、外周部印刷時には、バックファンを停止させ、内周領域印刷時（及び中央領域印刷時）には、サイドファンを停止させる例である。ｍは、外周部印刷時には、トップファンを停止させ、内周領域印刷時（及び中央領域印刷時）には、サイドファンを停止させる例である。ｎは、外周部印刷時には、４台すべてのファンを駆動させ、内周領域印刷時（及び中央領域印刷時）には、サイドファンを停止させる例である。ｎの例では、外周領域印刷時に多くのインクミストが光ディスクの内側に移動しやすいため、４台全てを駆動させることで、インクミストの捕捉を向上させることができる。
【０１１０】
なお、本発明は、図１２に示した組み合わせ例以外の組合せであってもよい。また、光ディスク５の印刷領域を外周、内周の２つの領域、又は、外周、内周、外周と内周の間の中央領域の３つの領域に分割するとしたが、さらに細かく領域を分割してファンの動作を制御してもよい。
【０１１１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１１２】
例えば、上記実施形態では、ファン１６０Ａ、１６０Ｂ、１６０Ｃ、１６０Ｄは軸流ファンである場合について、図示して説明したが、本発明はかかる例に限定されない。例えば、ファンのサイズは自由に設定してもよい、シロッコファンであってもよい。また、１つのファンと、上記ファン１６０Ａ、１６０Ｂ、１６０Ｃ、１６０Ｄの位置にファンの代わりに吸気口を設けて、１つのファンと複数の吸気口をダクトで接続してもよい。
【０１１３】
また、上記実施形態では、ミスト捕捉部は、ファンであるとしたが、本発明はかかる例に限定されない。ミスト捕捉部は、電圧が印加されインクミストを誘引する電極板であってもよい。
【０１１４】
具体的には、ミスト誘引部（ミスト捕捉部）は、所定の電圧を印加することにより、光ディスク５が収納された空間内に電界を発生させて、インクミストＭを静電気力により誘引し吸着するものである。このミスト誘引部は、２つの電極板と、この２つの電極板に所定の電圧を印加する高電圧電源部とを有している。
【図面の簡単な説明】
【０１１５】
【図１】本発明の第１の実施形態に係る光ディスク装置を示す斜視図である。
【図２】同実施形態に係る光ディスク装置を示す平面図であり、筐体の上面板を取り外した状態を示す。
【図３】同実施形態に係る光ディスク装置を示す斜視図であり、筐体の上面板を取り外した状態を示す。
【図４】同実施形態に係る光ディスク装置を示す斜視図であり、筐体の上面板を取り外した状態を示す。
【図５】同実施形態に係る印刷ヘッドを示す斜視図であり、印刷ヘッドの上面から見た図である。
【図６】同実施形態に係る印刷ヘッドを示す斜視図であり、印刷ヘッドの下面から見た図である。
【図７】同実施形態に係る印刷ヘッドを示す断面図である。
【図８】同実施形態に係るレーベル印刷機能を有する光ディスク装置の構成を示すブロック図である。
【図９】ディスク状記録媒体が回転駆動する際に発生する空気の流れを示す説明図である。
【図１０】同実施形態に係る印刷ヘッドからインク滴が吐出した状態を示す説明図である。
【図１１】同実施形態に係る光ディスク装置において、光ディスクの外周側を印刷する際のインクミストの流れの様子を示す平面図である。
【図１２】同実施形態に係る複数のファンの動作又は停止の組み合わせを示す説明図である。
【符号の説明】
【０１１６】
５      光ディスク
１００      光ディスク装置
１０２      イジェクトボタン
１０３      筐体
１１１      ディスク出入口
１１２      ディスクトレイ
１２４      プレート支持板
１２５      ディスク装着部
１２６      シャーシプレート
１２７      仕切板
１２８      開口穴
１４０、１４１、１４３      ガイド軸受
１４１Ａ、１４３Ａ      軸受穴
１４２、１４４      ヘッドガイド軸
１４２Ａ、１４２Ｂ、１４４Ａ、１４４Ｂ      端部
１５０      印刷ヘッド
１５１      インクタンク
１５２      ヘッドホルダ
１５４      吐出部
１５５      ヘッドスライダ
１６０Ａ、１６０Ｂ、１６０Ｃ、１６０Ｄ      ファン
１７１      モータ
１７２      ピニオンギア
１７３      ラックギア
１７４、１７５      位置検出センサ
１７６、１７７      位置検出片
１８１      ヘッドキャップ
１８３  支持部材
５００Ａ      記録再生ユニット
５００Ｂ      印刷ユニット
５１０      記録再生制御部
５１２      スピンドルモータコントローラ
５１４      映像音声処理部
５１６      Ｄ／Ａ変換部
５１８      インターフェース
５２０      マトリクスアンプ／同期検出部／ＥＣＣ部
５２２      スレッド制御部
５２４      サーボ制御部
５２６      レーザ制御部
５２８      バッファメモリ
５３６      スピンドルモータ
５４０      光学ピックアップ
５４４      ピックアップ移動機構
５４６      スレッドモータ
５５０      印刷ヘッド
５６０      ヘッド駆動モータ
５６２      印刷ヘッド移動機構
５６４      ヘッド駆動回路
５７０      印刷コントローラ
５８０      メモリ
５９０      ファンコントローラ
５９２      ファンモータ
【図１】
2009283041.tif 000003
【図２】
2009283041.tif 000004
【図３】
2009283041.tif 000005
【図４】
2009283041.tif 000006
【図５】
2009283041.tif 000007
【図６】
2009283041.tif 000008
【図７】
2009283041.tif 000009
【図８】
2009283041.tif 000010
【図９】
2009283041.tif 000011
【図１０】
2009283041.tif 000012
【図１１】
2009283041.tif 000013
【図１２】
2009283041.tif 000014